(57)【特許請求の範囲】
【請求項１】
宝石や宝飾品、装飾品等を収納する装飾箱であって、
本体と開閉自在の蓋体１０とを有し、
該蓋体１０は２つカギ２０、２１により閉鎖及び開扉を行うものであり、
２つのカギ２０、２１を同時に用いることにより蓋体１０の開扉ができることを特徴とする装飾箱。
【請求項２】
本体１１内部の底部には鏡１１６を有することを特徴とする請求項１記載の装飾箱。
【請求項３】
宝石や宝飾品、装飾品等を収納する収納部である本体１１の内部の一の短辺１１２方向であって、一の短辺壁部１１２ａにパッド４を有して、
該パッド４に宝石や宝飾品或いは装飾品を挟むための重積部を有することを特徴とする請求項１又は２のいずれかに記載の装飾箱。
【請求項４】
本体１１の内部の他の一の短辺１１３方向から箱内両長辺部１１４、１１５にかけて弧状の装飾部５を有することを特徴とする請求項１乃至３のいずれかに記載の装飾箱。
【請求項５】
指輪に対して用いることを特徴とする請求項１乃至４のいずれかに記載の装飾箱。
【請求項６】
指輪が結婚指輪であることを特徴とする請求項５に記載の装飾箱。
【請求項７】
二つのカギ２０、２１が同形状のカギであることを特徴とする請求項１乃至６のいずれかに記載の装飾箱。
【請求項８】
二つのカギ２０、２１がそれぞれ異なる形状のカギであることを特徴とする請求項１乃至６のいずれかに記載の装飾箱。
【請求項９】
装飾箱が宝石箱であることを特徴とする請求項１乃至８のいずれかに記載の宝石箱。
【発明の詳細な説明】
【技術分野】
【０００１】
本発明は、宝石や宝飾品、装飾品等を収納する装飾箱であって、特に同形状の２種類のカギを有し、該２種類のカギで開扉する装飾箱に関する。
【背景技術】
【０００２】
宝石や宝飾品、装飾品等を収納する装飾箱、例えば宝石箱等に関しては、宝飾品を載置するパッドを有する本体部と、これを開閉自在に封鎖する蓋体とからなる箱が多用されており、該蓋体はバネ等で弾力を持って開扉できるように構成されているものが多用されている。
【０００３】
この場合、指輪等の宝飾品や装飾品に関しては、単に該宝石箱内に入れているものであり、特段かぎなどを有さず箱に収納することのみを目的として構成されているものである。
例えば特開平７−２１８号や特開平８−１８７１１７号或いは特開２００１−２１１９２２号に示す先行例がある。
【先行技術文献】
【特許文献】
【０００４】
【特許文献１】特開平７−２１８号
【特許文献２】特開平８−１８７１１７号
【特許文献３】特開２００１−２１１９２２号
【発明の概要】
【発明が解決しようとする課題】
【０００５】
以上の様に、宝石や宝飾品、装飾品等を収納する装飾箱、例えば宝石箱などに関しては単に収納するだけに用いられているものである。
しかし、例えば結構指輪や御夫婦や恋人間等において特別な二人だけの大切な宝石や宝飾品、装飾品等については、特段宝石箱自体について特殊性はなく一般的な宝石箱が用いられている。
【０００６】
従って、特殊な二人のために特別なシチュエーションを有し、特別な意味合いを有する独特の構成の装飾箱・宝石箱の提供は、係る宝石や宝飾品、装飾品等の価値を高め、二人にとって特別なものとして位置づけられる余地のあるものである。
そこで本発明は係る点に着目し、御夫婦や恋人間等特殊な関係のある間の一方或いは双方の宝石や宝飾品、装飾品等についての収納を行う宝石箱或いは装飾箱の提供を課題とする。
【課題を解決するための手段】
【０００７】
係るため請求項１に係る発明は、宝石や宝飾品、装飾品等を収納する装飾箱であって、本体と開閉自在の蓋体とを有し、該蓋体は２つカギにより閉鎖及び開扉を行うものであり、２つのカギを同時に用いることにより蓋体の開扉ができる装飾箱からなり、係る発明によって前記課題を解決できる。
この場合、請求項２に係る発明のように、本体内部の底部には鏡を有する装飾箱を用いてもよい。
【０００８】
或いは、請求項３に係る発明のように、宝石や宝飾品、装飾品等を収納する収納部である本体の内部の一の短辺方向であって、一の短辺壁部にパッドを有して、該パッドに宝石や宝飾品或いは装飾品を挟むための重積部を有する装飾箱でもよい。
この他、請求項４に係る発明のように本体の内部の他の一の短辺方向から箱内両長辺部にかけて弧状の装飾部を有する装飾箱であってもよい。
【０００９】
特に、請求項５に係る発明のように指輪に対して用いる装飾箱によって、より効果的に活用できる。
この場合、請求項６に係る発明のように指輪が結婚指輪である装飾箱を用いることがさらに効果的に活用できる。
これらの場合、請求項７に係る発明のように、二つのカギが同形状のカギであるものでも、或いは請求項８に係る発明のように、二つのカギがそれぞれ異なる形状のカギであってもよい。
更に、請求項９に係る発明のように装飾箱が宝石箱であってももちろんよいものである。
【発明の効果】
【００１０】
以上の様に構成したことから、まず請求項１に係る発明により２つのカギを同時に用いて初めて箱の開扉が行えるものであり、二人でそれぞれ一つのカギを用いて箱の回避を行う装飾箱の提供ができるものであり、新郎新婦又は仲の良い二人の共同作業により開扉できる箱の提供ができる。
又請求項２に係る発明により装飾箱の本体内部に鏡を設けることができ、奥行きのある雰囲気や箱を開扉した二人を映し出す等の特殊効果を発揮できるものであり、収納箱の高級感や特殊な演出効果を発揮できる特別な箱として用いることができる。
【００１１】
更に請求項３に係る発明により装飾品をパッドの重積部に挟み込むことができ、定置した収納を可能とする共に、一の短辺壁部へパッドを配置するものであり、これにより箱を寝かせた状態でも、起立した状態でも使用できるものであり、更に本体内部底部にパッドを用いなければ鏡を本体内部の例えば底部に用いることもできる。
又請求項４に係る発明によれば、弧状の装飾部により装飾的価値を高められるものであり、高級感や独特の雰囲気の表出等が行えるものである。
【００１２】
請求項５に係る発明によれば、指輪に用いることにより指輪の宝石箱として用いることができるものであり、特に御夫婦や恋人間の特別な指輪に用いることのできる装飾箱の提供を可能とする。
更に請求項６に係る発明によれば、結婚指輪として用いることができ、御夫婦それぞれがカギを持ち、両者によって箱を開扉して指輪の取り出しを可能とするものであって、例えば結婚式などにおいて御夫婦間での最初の作業として指輪の収納した箱から結婚指輪の取り出しなどを行えるものであり、価値のある独特の箱として用いることができる。
【００１３】
又、請求項７に係る発明によれば２つのカギを同形とすることによりそれぞれが同じかぎを持つものであって、例えばそれぞれがカギを持つに際して親近感や一体感などを得ることができるものとなる。
或いは請求項８に係る発明のように異なる掲示用としてもよく、例えば男性用や女性用として大きさや形状を異なるものとして用いてもよい。
【００１４】
それぞれに応じて最適な形状を用いることを可能とするものである。
更には装飾箱ではあるが、請求項９に係る発明のように特に宝石箱として用いるものであってももちろんよい。
【図面の簡単な説明】
【００１５】
【図１】本発明に係る装飾箱の一例を示す斜視図
【図２】蓋体を開扉した状態の本発明に係る装飾箱の一例を示す図
【図３】蓋体を開扉した状態の本発明に係る装飾箱の一例を示す斜視図
【発明を実施するための形態】
【００１６】
図１は本発明に係る装飾箱の一例の斜視図である。
本図に示すように一の装飾箱、例えば宝石箱１には２種類の同形のカギ２０,２１を用いて施錠する鍵穴１１０を有するものであり、これを同時に用いてこの宝石箱を開扉するものである。
従って、例えば新郎新婦にそれぞれのカギ２０,２１を渡し、それぞれがそれぞれのカギを同時に用いて初めて本宝石箱１を開けることができる。
【００１７】
このことにより、結婚指輪等３を収納することにより、該指輪３の取り出し作業は二人で行う等極めて特殊なシチュエーションを提供し、これにより結婚指輪の価値や重要性等を高めることができる。
更に本宝石箱１は蓋体１０をガラス体１０１と更に表面に枝状の装飾１０２が施されており、重厚感やチャペルの連想など特殊雰囲気を生ぜしめる構成からなる。  
尚、カギ２０、２１に関しては図示するように２種類とも同形のカギが最適であるが大小異なるものとするものでも、或いはやや形状の異なるものを用いてもよい。
特に２つ揃わないとカギが開かず蓋を開くことができないものである。
【００１８】
図２は、更に蓋体１０を開いた状態の本発明に係る装飾箱の一例である。
鍵穴１１０を有すると共に鍵の施錠部１１１を有する。
本図に示すように本体内部１１には結婚指輪を収納する収納部を有し、該部分に指輪３が装着している。
これは箱体の本体１１の内部の一の短辺１１２方向であって一の短辺壁部１１２ａにパッド４を有して、該パッド４には指輪を挟むための重積部を有しているものであり、該重積部に指輪３を挟んで装着しているものである。
【００１９】
特に底部ではなく異なる位置に配置したものであり、重厚感や高級感の表出及び宝石箱の起立設置を可能とする。
更に箱体の本体１１の底面には鏡１１６を有するものである。
又、本体１１の内部の他の一の短辺１１３方向から箱内両長辺部１１４,１１５にかけて弧状の装飾部５を有する。
これにより奥行き感を表出し、極めて幻想的なシチュエーションの提供ができる。
特にパッド４を有する方向を下として宝石箱を起立させると置物としての価値が出る程度高級感を有するものである。
【００２０】
図３は、蓋体１０を開扉した状態の本発明に係る装飾箱である宝石箱１の斜視図である。
本体の鍵穴１１０に鍵を用いて施錠すると本体の鍵の施錠部１１１と蓋体の施錠部１００とで施錠を可能とするものである。
尚、宝石箱１として指輪３を収納するものとして明示しているがこれに限らずネックレスやプレスレッド、ブローチその他の各種宝飾品や或いは時計等のような装飾品や宝石自体等を収納するものでもよい。
【００２１】
更には、該箱体本体１０の蓋体１１に装飾を有するものであってもよく、更には内部の底部に鏡１１６等を有するものであってもよいものであり、装飾箱としての価値をも併せ有するものである。
従って、本発明において宝石箱は一例であり、装飾箱でもよく、或いはリングケースであってももちろんよいものである。
以上のように、ひとつの装飾箱を二つのカギを同時に用いて初めて開扉するものであり、二つのカギを二人の人がそれぞれ所持して、その二人が所持するカギ用いることを前提とするものである。
【００２２】
これは宝石類などを御夫婦間や恋人或いは家族乃至特別な関係にある者同士がカギを持ち、これを同時に用いて収納し或いは箱から取り出すことを可能とするものである。
従って、独特のシチュエーションの場にふさわしいものであって、或いは二人の間の特殊関係を前提としてそれに適合した特殊な箱の提供を可能とするものとなる。
【００２３】
特に結婚時等では新郎新婦が本発明に係る装飾箱のカギをそれぞれ持ち、これを同時に用いて新郎新婦間の初めての共同作業としてこの装飾箱を開扉するものというシチュエーションを可能とするものであり、中からお互いの結婚指輪の取り出しを行え、指輪の交換等をも行える等の特別な作業においても極めて効果的或いは高級感や独特の雰囲気を持って使用できるものとなる。
この他御夫婦等の特別な記念品を収納する箱として用いることもできる等の特別な効果を有するものである。
【符号の説明】
【００２４】
１  装飾箱
１０  蓋体
１００  蓋体の施錠部
１０１  ガラス体
１０２  枝状の装飾
１１  本体
１１０  鍵穴  
１１１  鍵の施錠部
１１２    一の短辺
１１２ａ  一の短辺壁部
１１３  他の一の短辺
１１４  箱内両長辺部
１１５  箱内両長辺部
１１６  鏡
２０  カギ
２１  カギ
３  指輪
４  パッド
５  弧状の装飾部
【図１】
0005489100.tif 000002
【図２】
0005489100.tif 000003
【図３】
0005489100.tif 000004